(57)【要約】【課題】ドライヤーやシェーバー等の電源プラグを、上部キャビネット内部の収納空間にあるコンセントに挿入した状態で扉を閉めても、電源コードが扉と上部キャビネット底部とに挟みこまれることを防止した洗面化粧台を提供することを目的としている。【解決手段】本発明における洗面化粧台は、上面に洗面ボウル部が設けられた下部キャビネットと、下部キャビネットに支持された内部に収納空間を有する上部キャビネットと、収納空間に設けられたコンセントと、を備えた洗面化粧台であって、上部キャビネットの前部には、収納空間を開閉自在とする扉が取り付けられており、扉と上部キャビネットの底部との間には、収納空間の幅方向の全域に亘って、コンセントに差し込まれる電源プラグから伸びる電源コードを挿通可能な所定の隙間が設けられている。【選択図】図２
2018029717.tif 000002
【特許請求の範囲】
【請求項１】
上面に洗面ボウル部が設けられた下部キャビネットと、前記下部キャビネットより上方に設けられ、内部に収納空間を有する上部キャビネットと、前記収納空間に設けられたコンセントと、を備えた洗面化粧台であって、
前記上部キャビネットの前部には、前記収納空間を開閉自在とする扉が取り付けられており、
前記扉と前記上部キャビネットの底部との間には、前記収納空間の幅方向の全域に亘って、前記コンセントに差し込まれる電源プラグから伸びる電源コードを挿通可能な所定の隙間が設けられていることを特徴とする洗面化粧台。
【請求項２】
前記扉の前面は、鏡面とされた鏡扉であり、
前記底部の上面と前記鏡扉の下面との間に前記隙間が設けられていることを特徴とする請求項１に記載の洗面化粧台。
【請求項３】
前記底部の前端は、前記鏡扉の前面より前方へ突出していることを特徴とする請求項２に記載の洗面化粧台。
【請求項４】
水を吐出する水栓装置をさらに備え、
前記洗面ボウル部は、前記水栓装置から吐水された水を受けるボウルと、ボウルの後方に設けられた物を載置可能な後部カウンターと、を有し、
前記後部カウンターは、前記水栓装置が取り付けられており、
前記底部の前端は、前記後部カウンターの前端と同一または前記後部カウンターの前端より前方へ突出していることを特徴とする請求項２又は３に記載の洗面化粧台。
【発明の詳細な説明】
【技術分野】
【０００１】
本発明は、上面に洗面ボウル部が設けられた下部キャビネットと、下部キャビネットに支持された内部に収納空間を有する上部キャビネットと、収納空間に設けられたコンセントと、を備えた洗面化粧台に関する。
【背景技術】
【０００２】
従来、上部キャビネット内部の収納空間にコンセントがある場合、上部キャビネット底部の前端に切り欠きを設け、ドライヤーやシェーバー等の電源プラグを、該コンセントに挿入した状態で扉を閉めても、該切り欠きから電源コードを下方（上部キャビネット外部）へ挿通させることで、ドライヤーやシェーバー等を上部キャビネット外部において使用可能であった（特許文献１）。
【先行技術文献】
【特許文献】
【０００３】
【特許文献１】実開平１‐１４１６４９
【発明の概要】
【発明が解決しようとする課題】
【０００４】
しかしながら、特許文献１のような、洗面化粧台では、扉を閉める際に、電源コードが切り欠きからずれてしまうと、扉と上部キャビネット底部とで電源コードを挟みこんでしまう。その結果、電源コードの断線に伴う製品の破損や電源コードの被覆が破けることに伴う漏電の恐れがあった。また、切り欠きに通す手間が必要であり、使用上不便であった。
【０００５】
本発明は、前記課題を解決するためになされたものであり、ドライヤーやシェーバー等の電源プラグを、上部キャビネット内部の収納空間にあるコンセントに挿入した状態で扉を閉めても、使用上不便なく電源コードが扉と上部キャビネットの底部とに挟みこまれることを防止した洗面化粧台を提供することである。
【課題を解決するための手段】
【０００６】
前記目的を達成するために請求項１記載の洗面化粧台においては、上面に洗面ボウル部が設けられた下部キャビネットと、前記下部キャビネットより上方に設けられ、内部に収納空間を有する上部キャビネットと、前記収納空間に設けられたコンセントと、を備えた洗面化粧台であって、前記上部キャビネットの前部には、前記収納空間を開閉自在とする扉が取り付けられており、前記扉と前記上部キャビネットの底部との間には、前記収納空間の幅方向の全域に亘って、前記コンセントに差し込まれる電源プラグから伸びる電源コードを挿通可能な所定の隙間が設けられていることを特徴とする。
そのため、ドライヤーやシェーバー等の電源プラグを、上部キャビネットの内部の収納空間にあるコンセントに挿入した状態で、扉を閉める際、電源コードは重力によって下方へ垂れ、自動的に隙間へ向かうため、切り欠きに電源コードを通す手間が不要となり、扉を閉めるだけでよく使い勝手が良い。
また、扉と上部キャビネットの底部との間には、収納空間の幅方向の全域に亘って、電源コードを挿通可能な隙間が設けられているため、電源コードの位置調整を行わなくても、電源コードの挟み込みを防止できる。
従って、収納空間内のコンセントに電源プラグを挿入した状態で扉を閉める際でも、簡便に電源コードを上部キャビネット外部へ挿通させることができると共に、隙間が収納空間の幅方向の全域に亘っているため、扉と上部キャビネットの底部とにより電源コードを挟みこむことに起因した、電源コードの断線に伴う製品の破損や電源コードの被覆が破けることに伴う漏電の恐れを防止することができる。
さらに、電源コードを外部へ挿通させるための、切り欠き等が不要であり意匠性を落としたくない場合や、材質により底部に加工できない場合においても対応できる。
【０００７】
また、請求項２記載の洗面化粧台においては、前記扉の前面は、鏡面とされた鏡扉であり、前記底部の上面と前記鏡扉の下面との間に前記隙間が設けられていることを特徴とする。
そのため、ドライヤーやシェーバー等の電源プラグを収納空間内のコンセントに挿入したまま、鏡を使用するために鏡扉を閉める際、正面視で上部キャビネットの下方に設けられた隙間（上部キャビネット底部上面と鏡扉下面との隙間）を介して、上部キャビネットの前方から電源コードを引き出してドライヤーやシェーバー等を使用することができ、使い勝手が良い。
従って、上部キャビネットの前方から電源コードを引き出すため、上部キャビネットの真下から電源コードを引き出すのと異なり、電源コードの剛性により、上部キャビネットの底部の前端より電源コードが放物線状に前方に垂れるため、上部キャビネットの真下に位置する水栓装置等に引っかかることを抑制できる。加えて、真下から引き出すのと異なり、使用時に電源コードが鏡扉の下面にすれることがない。
また、電源コードは、比較的短い距離で使用でき、電源コードが短い場合に対応できる。加えて、鏡扉を閉めることで、鏡を使用することができ、使い勝手が良い。
【０００８】
また、請求項３記載の洗面化粧台においては、前記底部の前端は、前記鏡扉の前面より前方へ突出していることを特徴とする。
そのため、電源コードは、鏡扉の前面より前方で且つ底部より上方に位置している部分において、底部の存在により下方へ撓むことができず、開放された上方へ撓みやすくなる。その結果、電源コードは、底部の前端より前方側であっても底部より下方に垂れづらくなる（底部より下方に垂れる電源コードの位置を、より鏡扉の前面から離れた位置とすることができる）。
従って、より上部キャビネットの真下に位置する水栓装置等に引っかかることを抑制できる。
【０００９】
また、請求項４記載の洗面化粧台においては、水を吐出する水栓装置をさらに備え、前記洗面ボウル部は、前記水栓装置から吐水された水を受けるボウルと、ボウルの後方に設けられた物を載置可能な後部カウンターと、を有し、前記後部カウンターは、前記水栓装置が取り付けられており、前記底部の前端は、前記後部カウンターの前端と同一または前記後部カウンターの前端より前方へ突出していることを特徴とする。
そのため、上部キャビネットの底部の上面と鏡扉の下面との隙間から、収納空間に設けられたコンセントに挿入された電源プラグから続く電源コードは、上部キャビネットの外部へ向かう際、後部カウンターの前端よりも前方に垂れる。
従って、電源コードの長さに関係なく、上部キャビネットの下方にある後部カウンターに載置した歯ブラシやハンドソープやシャンプー等に上部キャビネット内部から伸びる電源コードが引っかからず、使い勝手がよい。さらに、後部カウンターに取り付けられた水栓装置のハンドルレバー等へ引っかかることを抑制することに繋がり、使い勝手がいい。
【発明の効果】
【００１０】
本発明の態様によれば、ドライヤーやシェーバー等の電源プラグを、上部キャビネットの内部の収納空間にあるコンセントに挿入した状態で、扉を閉める際、電源コードは重力によって下方へ垂れ、自動的に隙間へ向かうため、切り欠きに電源コードを通す手間が不要となり、扉を閉めるだけでよく使い勝手が良い。また、扉と上部キャビネットの底部との間には、収納空間の幅方向の全域に亘って、電源コードを挿通可能な隙間が設けられているため、電源コードの位置調整を行わなくても、電源コードの挟み込みを防止できる。
従って、収納空間内のコンセントに電源プラグを挿入した状態で扉を閉める際でも、簡便に電源コードを上部キャビネット外部へ挿通させることができると共に、隙間が収納空間の幅方向の全域に亘っているため、扉と上部キャビネットの底部とにより電源コードを挟みこむことに起因した、電源コードの断線に伴う製品の破損や電源コードの被覆が破けることに伴う漏電の恐れを防止することができる。さらに、電源コードを外部へ挿通させるための、切り欠き等が不要であり意匠性を落としたくない場合や、材質により底部に加工できない場合においても対応できる。
【図面の簡単な説明】
【００１１】
【図１】本発明の実施形態に係る洗面化粧台を示す正面図である。
【図２】図１の洗面化粧台におけるＡ−Ａ断面図である。
【図３】本発明の実施形態に係る洗面化粧台において、鏡扉を外した状態における上部キャビネットを示す正面図である。
【図４】本発明の実施形態に係る洗面化粧台において、下部キャビネットを示す上面図である。
【図５】本発明の実施形態に係る洗面化粧台において、鏡扉と上部キャビネットの底部との間の隙間を示す模式的側面図である。
【図６】本発明の実施形態に係る洗面化粧台において、ドライヤーを使用した際の電源コードの状態を示す模式的側面図である。
【発明を実施するための形態】
【００１２】
以下、本発明の実施の形態について図面を参照しつつ説明する。なお、各図面中、同様
の構成要素には同一の符号を付して詳細な説明は適宜省略する。
【００１３】
図１乃至図４にて、本発明の実施形態に係る洗面化粧台について以下に説明する。
図１は、本発明の実施形態に係る洗面化粧台を示す正面図である。図２は、図１の洗面化粧台におけるＡ−Ａ断面図である。図３は、本発明の実施形態に係る洗面化粧台において、鏡扉を外した状態における上部キャビネットを示す正面図である。図４は、本発明の実施形態に係る洗面化粧台において、下部キャビネットを示す上面図である。
【００１４】
図１乃至図４に示すように、洗面化粧台１０は、上部キャビネット１００と、上部キャビネット１００の下方に設けられた、ガラス製のバックパネル２００と、バックパネル２００より下方に設けられた、樹脂製の洗面ボウル部３００を上面に有する木製の下部キャビネット４００と、を備えている。
【００１５】
上部キャビネット１００は、箱体のキャビネットであり、内部に収納空間Ｓを有している。上部キャビネット１００の前部には、収納空間Ｓを開閉自在とする前面が鏡面となっている鏡扉１１０が取り付けられている。換言すると、上部キャビネット１００は、鏡を開閉扉として内部に収納空間Ｓを有している。  
なお、鏡扉１１０は前面が鏡面となっていなくても良い。
また、本発明において、使用者が鏡扉１１０を用いて顔を視認するために洗面化粧台１０に向かって立っている位置が、洗面化粧台１０に対する「前方」であると定義する。
【００１６】
鏡扉１１０は、中央に位置する中央鏡扉１１０ｂと、中央鏡扉１１０ｂの両側には、右側に位置する右側面鏡扉１１０ｃと、左側に位置する左側面鏡扉１１０ａと、の３枚の同形状の扉から構成されている。
なお、鏡扉１１０の枚数は３枚に限定されるものではない。また、鏡扉１１０の幅や高さは設計状況により、扉ごとに適宜変更しても良い。
【００１７】
収納空間Ｓは、左側面鏡扉１１０ａと、中央鏡扉１１０ｂと、右側面鏡扉１１０ｃと、に夫々対応し、左収納空間Ｓ１と、中央収納空間Ｓ２と、右収納空間Ｓ３と、の３つの収納可能な空間から構成されている。各収納空間の間には、仕切り板１１５が設けられており、区画分けされている。
収納空間Ｓ１乃至Ｓ３には、夫々空間内の両側に伸びる収納板１１７が取り付けられており、上方のスペースも小物入れ等として有効活用可能となっている。
【００１８】
収納空間Ｓには、上部キャビネット１００内部の下方両側に２つのコンセント１２０が設けられている。具体的には、左収納空間Ｓ１と右収納空間Ｓ３の下方外側に縦向きのコンセント１２０がある。
このため、鏡扉１１０を閉めた状態でも、充電式の電気シェーバー等を、左収納空間Ｓ１及び/又は右収納空間Ｓ３内に収納したまま、給電を行い充電させることが可能となっている。
また、鏡扉１１０を閉めた状態で、給電できるため、コンセント１２０に防水対策を施す必要がない。
【００１９】
洗面ボウル部３００は、物を載置可能なカウンター３１０と、カウンター３１０に載置された水栓装置３１２から吐水された水を受けるボウル３２０と、から構成されている。
なお、水栓装置３１２は、バックパネル２００に取り付けられていても良い。
【００２０】
カウンター３１０は、ボウル３２０より後方に位置する後部カウンター３１０ａと、ボウル３２０の両側に位置する側部カウンター３１０ｂと、ボウル３２０の前方に位置する前部カウンター３１０ｃと、を有している。ボウル３２０は後部カウンター３１０ａの中央の前端から続き、下方に凹むように形成されている。
【００２１】
さらに、後部カウンター３１０ａは、水平方向に対し、平坦に形成され、左右方向に対し中央に水栓装置３１２が載置されている。水栓装置３１２の両側のスペースは、歯ブラシやハンドソープやシャンプーなど、を置くことが可能である。
また、後部カウンター３１０ａは、上部キャビネットの底部１３０よりも後方に位置している。
【００２２】
鏡扉１１０の下面と上部キャビネットの底部１３０の上面との間には、電源コードＫ
（図５参照）の向きに依存せず、電源コードＫが上部キャビネット１００外部へ通せるように隙間Ｄが設けられている。この隙間Ｄは、８．５ｍｍであり、一般的なドライヤーの電源コードの径より大きい。
この隙間Ｄは、前方に向かって形成されており、正面視において、確認できるようになっている。
なお、隙間Ｄは、鏡扉１１０背面と、上部キャビネットの底部１３０前端と、の間に設けられていても良い。つまり、隙間Ｄが、下方に向かうように形成されていても良い。
【００２３】
隙間Ｄは、収納空間Ｓ（収納空間Ｓ１及び収納空間Ｓ２及び収納空間Ｓ３）の幅全域に亘って、鏡扉１１０の下面と上部キャビネットの底部１３０の上面との間に設けられている。
つまり、仕切り板１１５を除く箇所全域に亘る、鏡扉１１０の下面と上部キャビネットの底部１３０の上面との間に設けられている。
そのため、ドライヤーやシェーバー等の電源プラグを、左収納空間Ｓ１及び/又は右収納空間Ｓ３にあるコンセント１２０に挿入した状態で、鏡扉１１０を閉めても、電源コードＫは重力によって下方へ垂れ、自動的に隙間Ｄへ向かうため鏡扉１１０を閉めるだけでよく、切り欠きに通す手間が不要である。つまり、鏡扉１１０の下面と上部キャビネットの底部１３０の上面との間には、収納空間Ｓの幅方向の全域に亘って、電源コードＫを挿通可能な隙間Ｄが設けられているため、電源コードＫの位置調整を行わなくても、挟み込みを防止できる。
【００２４】
従って、鏡扉１１０を閉める際でも、簡便に電源コードＫを上部キャビネット１００外部へ挿通させることができると共に、隙間Ｄが収納空間Ｓの幅方向の全域に亘っているため、鏡扉１１０により電源コードＫを挟みこんでしまい、電源コードＫの断線による製品の破損や電源コードの被覆が破けることに伴う漏電の恐れを防止することができる。
さらに、電源コードＫを上部キャビネット１００外部へ挿通させるための、切り欠き等が不要であり意匠性を落としたくない場合や、材質により底部に加工できない場合においても対応できる。
【００２５】
また、隙間Ｄが上部キャビネットの底部１３０の上面と鏡扉１１０の下面との間に設けられているため、ドライヤーやシェーバー等の電源プラグを左収納空間Ｓ１及び/又は右収納空間Ｓ３内のコンセント１２０に挿入したまま、鏡を使用するために鏡扉１１０を閉める際、上部キャビネット１００の前方から電源コードＫを引き出してドライヤーやシェーバー等を使用することができ、使い勝手が良い。
従って、上部キャビネット１００の前方から電源コードＫを引き出すため、上部キャビネット１００の真下から電源コードＫを引き出すのと異なり、電源コードＫの剛性により、上部キャビネットの底部１３０の前端より電源コードＫが放物線状に前方に垂れるため、上部キャビネット１００の真下に位置する水栓装置等に引っかかることを抑制できる。加えて、真下から引き出すのと異なり、使用時に電源コードＫが鏡扉１１０の下面にすれることがない。
また、電源コードＫは、比較的短い距離で使用でき、電源コードＫが短い場合に対応できる。加えて、鏡扉１１０を閉めることで、鏡を使用することができ、使い勝手が良い。
【００２６】
次に、収納空間Ｓにあるコンセント１２０に挿入された電源プラグから伸びる電源コードＫが、隙間Ｄを介して収納空間Ｓ外部へ出ている状態について詳細を説明する。
図５は、本発明の実施形態に係る洗面化粧台において、鏡扉とキャビネットの底部との間の隙間を示す模式的側面図である。
【００２７】
上部キャビネットの底部１３０は、収納空間Ｓの底板１３０ａと、底板１３０ａの前端から前方へ続くガイド部材１３０ｂと、から構成されている。
【００２８】
ガイド部材１３０ｂは、照明装置であり、鏡扉１１０より後方から、鏡扉１１０の前面より前方まで突出している。
すなわち、左収納空間Ｓ１及び/又は右収納空間Ｓ３にあるコンセント１２０にドライヤー等の電源プラグを挿した状態で鏡扉１１０を閉めた際、電源コードＫはガイド部材１３０ｂの上面と鏡扉１１０の下面との隙間Ｄを通過した後、鏡扉１１０の前面よりも前方までガイド部材１３０ｂの上面にガイドされるようになっている。
【００２９】
そのため、電源コードＫは、鏡扉１１０の前面より前方で且つ底部１３０より上方に位置している部分において、底部１３０の存在により下方へ撓むことができず、開放された上方へ撓みやすくなる。その結果、電源コードＫは、底部１３０の前端より前方側であっても底部１３０より下方に垂れづらくなる。
より詳述すると、電源コードＫは、鏡扉１１０の前面より前方で且つガイド部材１３０ｂより上方に位置している部分において、ガイド部材１３０ｂの存在により下方向へ撓むことができず、開放されている上方向（図５における矢印方向）へは撓むことができるため、必然的に上方向へ向かって撓みやすくなる。その結果、電源コードＫは、ガイド部材１３０ｂの前端より前方側であっても底部１３０より下方に垂れづらくなる（底部１３０より下方に垂れる電源コードＫの位置を、より鏡扉１１０の前面から離れた位置とすることができる）。
従って、上部キャビネット１００の真下に位置する水栓装置等に引っかかることを抑制できる。
【００３０】
次に、鏡扉１１０を閉めた状態で、ドライヤーを使用した際の電源コードＫの状態を模式的に示す。
図６は、本発明の実施形態に係る洗面化粧台において、ドライヤーを使用した際の電源コードの状態を示す模式的側面図である。
【００３１】
図６に示すように、ガイド部材１３０ｂの前端は、鏡扉１１０の前面及び後部カウンター３１０ａの前端よりも前方まで突出している。
そのため、ガイド部材１３０ｂの上面と鏡扉１１０の下面との隙間Ｄから、左収納空間Ｓ１及び/又は右収納空間Ｓ３内のコンセント１２０に挿入した電源プラグから続く電源コードＫは、鏡扉１１０の真下に垂れず、後部カウンター３１０ａの前端よりも前方に垂れる。
【００３２】
従って、電源コードＫの長さに関係なく、上部キャビネット１００の下方にある後部カウンター３１０ａに載置した歯ブラシやハンドソープやシャンプー等に収納空間Ｓ内部から伸びる電源コードＫが引っかからず、使い勝手がよい。
さらに、後部カウンター３１０ａに取り付けられた水栓装置３１２のハンドルレバー等へ引っかかることを抑制することに繋がり、使い勝手がいい。
なお、ガイド部材１３０ｂの前端と後部カウンター３１０ａの前端とが、前後方向において同一の場合においても、電源コードＫは、鏡扉１１０の真下に垂れず、後部カウンター３１０ａの前端よりも前方に垂れ、上記効果を奏する。
【００３３】
以上、本発明の実施の形態について説明した。しかし、本発明はこれらの記述に限定されるものではない。前述の実施の形態に関して、当業者が適宜設計変更を加えたものも、
本発明の特徴を備えている限り、本発明の範囲に包含される。例えば、底部１３０は１つの部材で構成しても良いし、底部１３０などが備える各要素の形状、寸法、材質、配置などや上部キャビネット１００の設置形態などは、例示したものに限定されるわけではなく適宜変更することができる。
【符号の説明】
【００３４】
１０   洗面化粧台
１００   上部キャビネット
１１０   鏡扉
１１０ａ  左側面鏡扉
１１０ｂ  中央鏡扉
１１０ｃ  右側面鏡扉
１１５    仕切り板
１１７    収納板
１２０    コンセント
１３０    底部
１３０ａ  底板
１３０ｂ  ガイド部材
２００    バックパネル
３００    洗面ボウル部
３１０    カウンター
３１０ａ  後部カウンター
３１０ｂ  側部カウンター
３１０ｃ  前部カウンター
３１２    水栓装置
３２０    ボウル
４００    下部キャビネット
Ｄ        隙間
Ｓ        収納空間
Ｓ１      左収納空間
Ｓ２      中央収納空間
Ｓ３      右収納空間
Ｋ        電源コード
【図１】
2018029717.tif 000003
【図２】
2018029717.tif 000004
【図３】
2018029717.tif 000005
【図４】
2018029717.tif 000006
【図５】
2018029717.tif 000007
【図６】
2018029717.tif 000008